【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
画像処理方法において、
記憶部に画像データを記憶させ、
処理部で前記画像データに第１の利用制限と第２の利用制限とを付与し、
出力部から前記処理部が利用制限を付与した画像データを出力させ、
制限情報格納部に前記画像データの第１の制限に関する第１パスワードと、前記画像データの第２の制限に関する第２パスワードとを格納し、
入力部から前記画像データの前記第１の制限に関する第３パスワード又は前記画像データの前記第２の制限に関する第４パスワードを入力させ、
選択部から前記画像データの第１の制限で用いるパスワード及び第２の制限で用いるパスワードを選択させ、
前記選択部が前記入力部の入力を選択すると、前記入力部は前記記憶部に記憶される新規画像データに対応する前記第３パスワードと前記第４パスワードとを入力し、前記処理部は前記新規画像データに第１の制限を前記第３パスワードで付与し、前記新規画像データに第２の制限を前記第４パスワードを用いて付与し、
前記選択部が前記制限情報格納部の読み出しを選択すると、前記制限情報格納部から前記第１パスワードと前記第２パスワードを読み出し、
前記処理部は前記記憶部に記憶される新規画像データに第１の制限を前記第１パスワードで付与し、前記新規画像データに第２の制限を前記第２パスワードを用いて付与すること
を特徴とする画像処理方法。
【請求項２】
画像読取部で画像を読み取り、前記記憶部に読み取った画像を記憶すること
を特徴とする請求項１記載の画像処理方法。
【請求項３】
前記処理部は、暗号化処理部で前記第１パスワードと第２パスワード又は第３パスワードと第４パスワードを用いて前記画像データを暗号化した暗号化ファイルを生成すること
を特徴とする請求項１又は請求項２記載の画像処理方法。
【請求項４】
前記選択部が前記入力部の入力を選択すると、前記処理部は、前記画像データを前記第３パスワード及び前記第４パスワードを用いて、当該第３パスワード及び当該第４パスワードで読み出し可能な暗号化ファイルを生成し、
前記選択部が前記制限情報格納部の読み出しを選択すると、前記処理部は、前記画像データを前記第１パスワード及び前記第２パスワードを用いて、当該第１パスワード及び当該第２パスワードで読み出し可能な暗号化ファイルを生成すること
を特徴とする請求項１乃至請求項３の何れか１項記載の画像処理方法。
【請求項５】
前記選択部が前記入力部の入力を選択すると、前記処理部は、前記画像データを前記第３パスワード及び前記第４パスワードを用いて、当該第３パスワードでは操作権限の変更不可で、当該第４パスワードで操作権限の変更可能な暗号化ファイルを生成し、
前記選択部が前記制限情報格納部の読み出しを選択すると、前記処理部は、前記画像データを前記第１パスワード及び前記第２パスワードを用いて、当該第１パスワードでは操作権限の変更不可で、当該第２パスワードで操作権限の変更可能な暗号化ファイルを生成すること
を特徴とする請求項１乃至請求項４の何れか１項記載の画像処理方法。
【請求項６】
前記第１パスワードと前記第３パスワードとは、読み出し可否に関する読み出しパスワード情報を持ち、
前記第２パスワードと前記第４パスワードとは、利用権限が付与された前記画像データを読み出して当該画像データを操作するための操作可否に関する操作パスワード情報を持つこと
を特徴とする請求項１乃至請求項５の何れか１項記載の画像処理方法。
【請求項７】
前記選択部が前記制限情報格納部の読み出しを選択するとき、第２選択部からカテゴリー情報の選択を促し、
前記制限情報格納部は、前記第１パスワードと前記第２パスワードとが関連付けられる第１カテゴリ情報を格納し、
前記制限情報格納部は、前記画像データの第１の制限に関する第５パスワードと前記画像データの第２の制限に関する第６パスワードとを格納するとともに、当該第５パスワードと当該第６パスワードとが関連付けられる第２カテゴリ情報を格納し、
前記第２選択部は第１カテゴリを選択すると、前記制限情報格納部から前記第１パスワードと前記第２パスワードとを読み出し、前記処理部は前記記憶部に記憶される新規画像データに第１の制限を前記第１パスワードで付与し、前記新規画像データに第２の制限を前記第２パスワードで付与し、
前記第２選択部は第２カテゴリを選択すると、前記制限情報格納部から前記第５パスワードと前記第６パスワードとを読み出し、前記処理部は前記記憶部に記憶される新規画像データに第１の制限を前記第５パスワードで付与し、前記新規画像データに第２の制限を前記第６パスワードで付与すること
を特徴とする請求項１乃至請求項６の何れか１項記載の画像処理方法。
【請求項８】
読み取った画像に基づく画像データを生成する画像読取部と、
前記画像読取部により生成された前記画像データを暗号化し暗号化ファイルを生成する暗号化処理部と、
前記暗号化処理部により生成された前記暗号化ファイルの復号、又は復号化された前記暗号化ファイルの操作可否に関するパスワード情報を制限情報として予め格納する制限情報格納部と、
前記暗号化処理部による前記画像データの暗号化に際し、前記画像読取部により前記画像データが生成される度に新規パスワード情報を取得する第一の手段と前記制限情報格納部に既に格納されている前記制限情報を利用する第二の手段との何れかを用いるかをユーザに対して選択させる選択部とを備え、
前記暗号化処理部は、前記選択部を介して選択された前記第一の手段に基づく前記新規パスワード情報又は前記第二の手段に基づく前記制限情報の何れかを用いて前記画像データの暗号化を行うこと
を特徴とする画像処理装置。
【請求項９】
読み取った画像に基づく画像データを生成する画像読取部と、
前記画像読取部により生成された前記画像データを暗号化し暗号化ファイルを生成する暗号化処理部と、
前記暗号化処理部により生成された前記暗号化ファイルの復号、又は復号化された前記暗号化ファイルの操作可否に関するパスワード情報を制限情報として複数のカテゴリー毎に予め格納する制限情報格納部と、
前記暗号化処理部による前記画像データの暗号化に際し、前記画像読取部により前記画像データが生成される度に新規パスワード情報を取得する第一の手段と前記制限情報格納部に既に格納されている前記制限情報を利用する第二の手段との何れかを用いるかをユーザに対して選択させる第一の選択部と、
前記第一の選択部を介して前記第二の手段が選択された場合、複数のカテゴリーから一のカテゴリーを前記ユーザに対して選択させる第二の選択部とを備え、
前記暗号化処理部は、選択された一のカテゴリーに属する前記制限情報を用いて前記画像データの暗号化を行うこと
を特徴とする画像処理装置。
【請求項１０】
前記カテゴリーは、前記ユーザの識別情報、前記ユーザが属するグループ情報、又は前記暗号化ファイルの出力先情報に基づき分類されること
を特徴とする請求項９記載の画像処理装置。
【手続補正２】
【補正対象書類名】明細書
【補正対象項目名】０００６
【補正方法】変更
【補正の内容】
【０００６】
本発明は、このような実情に鑑みてなされたものであり、本発明の課題は、従来のスキャン操作の都度にパスワードを複数種類入力設定する手間を減らし、簡単にスキャンデータの暗号化を行うことが可能な画像処理方法及び画像処理装置を提供することである。
【手続補正３】
【補正対象書類名】明細書
【補正対象項目名】０００７
【補正方法】変更
【補正の内容】
【０００７】
上記課題を解決するために、本発明にかかる画像処理方法は、画像処理方法において、記憶部に画像データを記憶させ、処理部で前記画像データに第１の利用制限と第２の利用制限とを付与し、出力部から前記処理部が利用制限を付与した画像データを出力させ、制限情報格納部に前記画像データの第１の制限に関する第１パスワードと、前記画像データの第２の制限に関する第２パスワードとを格納し、入力部から前記画像データの前記第１の制限に関する第３パスワード又は前記画像データの前記第２の制限に関する第４パスワードを入力させ、選択部から前記画像データの第１の制限で用いるパスワード及び第２の制限で用いるパスワードを選択させ、前記選択部が前記入力部の入力を選択すると、前記入力部は前記記憶部に記憶される新規画像データに対応する前記第３パスワードと前記第４パスワードとを入力し、前記処理部は前記新規画像データに第１の制限を前記第３パスワードで付与し、前記新規画像データに第２の制限を前記第４パスワードを用いて付与し、前記選択部が前記制限情報格納部の読み出しを選択すると、前記制限情報格納部から前記第１パスワードと前記第２パスワードを読み出し、
前記処理部は前記記憶部に記憶される新規画像データに第１の制限を前記第１パスワードで付与し、前記新規画像データに第２の制限を前記第２パスワードを用いて付与することを特徴とする。
【手続補正４】
【補正対象書類名】明細書
【補正対象項目名】０００８
【補正方法】変更
【補正の内容】
【０００８】
また、本発明にかかる画像処理装置は、読み取った画像に基づく画像データを生成する画像読取部と、前記画像読取部により生成された前記画像データを暗号化し暗号化ファイルを生成する暗号化処理部と、前記暗号化処理部により生成された前記暗号化ファイルの復号、又は復号化された前記暗号化ファイルの操作可否に関するパスワード情報を制限情報として予め格納する制限情報格納部と、前記暗号化処理部による前記画像データの暗号化に際し、前記画像読取部により前記画像データが生成される度に新規パスワード情報を取得する第一の手段と前記制限情報格納部に既に格納されている前記制限情報を利用する第二の手段との何れかを用いるかをユーザに対して選択させる選択部とを備え、前記暗号化処理部は、前記選択部を介して選択された前記第一の手段に基づく前記新規パスワード情報又は前記第二の手段に基づく前記制限情報の何れかを用いて前記画像データの暗号化を行うことを特徴とする。
【手続補正５】
【補正対象書類名】明細書
【補正対象項目名】０００９
【補正方法】変更
【補正の内容】
【０００９】
本発明によれば、スキャン操作の都度にオープンパスワードとパーミッションパスワードとの２種類の暗号化パスワードを入力設定する必要がなく、簡便にスキャンデータの暗号化を行うことが可能な画像処理方法及び画像処理装置を提供することができる。